Podtech/llm-jp-corpus-v4-ja_patent huggingface dataset:
【手続補正書】
【提出日】平成30年6月6日(2018.6.6)
【手続補正１】
【補正対象書類名】特許請求の範囲
【補正対象項目名】全文
【補正方法】変更
【補正の内容】
【特許請求の範囲】
【請求項１】
マルチレイヤＨｉｇｈ  Ｅｆｆｉｃｉｅｎｃｙ  Ｖｉｄｅｏ  Ｃｏｄｉｎｇ（ＨＥＶＣ）ビデオデータを符号化する方法であって、
アクセスユニットの複数のピクチャのための複数のビデオコーディングレイヤ（ＶＣＬ）ネットワーク抽象化レイヤ（ＮＡＬ）ユニットを生成することと、前記複数のＶＣＬ  ＮＡＬユニットの各々はスライスタイプを備える、
前記複数のスライスタイプに基づいて、前記アクセスユニットに対するアクセスユニットデリミタ（ＡＵＤ）ＮＡＬユニットを生成することと、ここにおいて前記ＡＵＤ  ＮＡＬユニットのピクチャタイプシンタックス要素は、前記アクセスユニット中のすべてのピクチャに対するピクチャタイプを示し、前記ピクチャタイプは、前記複数のスライスタイプを備えるスライスタイプの関連付けられたセットを有する、を備える、方法。
【請求項２】
前記複数のスライスタイプが、Ｉスライス、Ｐスライス、およびＢスライスからなる群から選択される、請求項１に記載の方法。
【請求項３】
前記複数のスライスタイプが、ＩスライスおよびＰスライスからなる群から選択される、請求項１に記載の方法。
【請求項４】
前記ＡＵＤ  ＮＡＬユニットが、前記アクセスユニットと先行するアクセスユニットとの境界を特定する、請求項１に記載の方法。
【請求項５】
ワイヤレス通信デバイス上で実行可能であり、前記ワイヤレス通信デバイスが、
前記マルチレイヤビデオデータを記憶するように構成されるメモリと、
前記メモリに記憶されている前記マルチレイヤビデオデータを処理するための命令を実行するように構成される１つまたは複数のプロセッサと、
前記マルチレイヤビデオデータを送信するように構成される送信機とを備える、請求項１に記載の方法。
【請求項６】
前記ワイヤレス通信デバイスが携帯電話であり、前記送信機が、セルラー通信規格に従って変調されたデータとして前記マルチレイヤビデオデータを送信するように構成される、請求項５に記載の方法。
【請求項７】
Ｈｉｇｈ  Ｅｆｆｉｃｉｅｎｃｙ  Ｖｉｄｅｏ  Ｃｏｄｉｎｇ（ＨＥＶＣ）ビデオデータを処理するためのデバイスであって、
マルチレイヤビデオデータのビットストリームの少なくとも一部分を記憶するように構成されるメモリと、
１つまたは複数のプロセッサとを備え、前記１つまたは複数のプロセッサが、
アクセスユニットの複数のピクチャのための複数のビデオコーディングレイヤ（ＶＣＬ）ネットワーク抽象化レイヤ（ＮＡＬ）ユニットを生成することと、前記複数のＶＣＬ  ＮＡＬユニットの各々はスライスタイプを備える、
前記複数のスライスタイプに基づいて、前記アクセスユニットに対するアクセスユニットデリミタ（ＡＵＤ）ＮＡＬユニットを生成することと、ここにおいて前記ＡＵＤ  ＮＡＬユニットのピクチャタイプシンタックス要素は、前記アクセスユニット中のすべてのピクチャに対するピクチャタイプを示し、前記ピクチャタイプは、前記複数のスライスタイプを備えるスライスタイプの関連付けられたセットを有する、
を行うように構成される、デバイス。
【請求項８】
前記複数のスライスタイプが、Ｉスライス、Ｐスライス、およびＢスライスからなる群から選択される、請求項７に記載のデバイス。
【請求項９】
前記複数のスライスタイプが、ＩスライスおよびＰスライスからなる群から選択される、または前記ＡＵＤ  ＮＡＬユニットが、前記アクセスユニットと先行するアクセスユニットとの境界を特定する、請求項７に記載のデバイス。
【請求項１０】
ワイヤレス通信デバイスであり、
前記マルチレイヤビデオデータを送信するように構成される送信機をさらに備える、請求項７に記載のデバイス。
【請求項１１】
前記ワイヤレス通信デバイスが携帯電話を備え、前記送信機が、セルラー通信規格に従って変調されたデータとして前記マルチレイヤビデオデータを送信するように構成される、請求項１０に記載のデバイス。
【請求項１２】
マルチレイヤＨｉｇｈ  Ｅｆｆｉｃｉｅｎｃｙ  Ｖｉｄｅｏ  Ｃｏｄｉｎｇ（ＨＥＶＣ）ビデオデータを符号化するための装置であって、
アクセスユニットの複数のピクチャのための複数のビデオコーディングレイヤ（ＶＣＬ）ネットワーク抽象化レイヤ（ＮＡＬ）ユニットを生成するための手段と、前記複数のＶＣＬ  ＮＡＬユニットの各々はスライスタイプを備える、
前記複数のスライスタイプに基づいて、前記アクセスユニットに対するアクセスユニットデリミタ（ＡＵＤ）ＮＡＬユニットを生成するための手段と、ここにおいて前記ＡＵＤ  ＮＡＬユニットのピクチャタイプシンタックス要素は、前記アクセスユニット中のすべてのピクチャに対するピクチャタイプを示し、前記ピクチャタイプは、前記複数のスライスタイプを備えるスライスタイプの関連付けられたセットを有する、を備える、装置。
【請求項１３】
前記第１のスライスタイプおよび前記第２のスライスタイプが、Ｉスライス、Ｐスライス、およびＢスライスからなる群から選択される、請求項１２に記載の装置。
【請求項１４】
前記第１のスライスタイプおよび前記第２のスライスタイプが、ＩスライスおよびＰスライスからなる群から選択される、または前記第１のＡＵＤ  ＮＡＬユニットが、前記アクセスユニットと先行するアクセスユニットとの境界を特定する、請求項１２に記載の装置。
【請求項１５】
１つまたは複数のプロセッサによって実行されると、前記１つまたは複数のプロセッサに、
アクセスユニットの複数のピクチャのための複数のビデオコーディングレイヤ（ＶＣＬ）ネットワーク抽象化レイヤ（ＮＡＬ）ユニットを生成することと、前記複数のＶＣＬ  ＮＡＬユニットの各々はスライスタイプを備える、
前記複数のスライスタイプに基づいて、前記アクセスユニットに対するアクセスユニットデリミタ（ＡＵＤ）ＮＡＬユニットを生成することと、ここにおいて前記ＡＵＤ  ＮＡＬユニットのピクチャタイプシンタックス要素は、前記アクセスユニット中のすべてのピクチャに対するピクチャタイプを示し、前記ピクチャタイプは、前記複数のスライスタイプを備えるスライスタイプの関連付けられたセットを有する、を行わせる、Ｈｉｇｈ  Ｅｆｆｉｃｉｅｎｃｙ  Ｖｉｄｅｏ  Ｃｏｄｉｎｇ（ＨＥＶＣ）ビデオデータを符号化するための命令を記憶した、コンピュータ可読記憶媒体。
【手続補正書】
【提出日】平成30年6月4日(2018.6.4)
【手続補正１】
【補正対象書類名】特許請求の範囲
【補正対象項目名】全文
【補正方法】変更
【補正の内容】
【特許請求の範囲】
【請求項１】
マルチレイヤビデオデータを符号化する方法であって、
補足強化情報（ＳＥＩ）メッセージが前記マルチレイヤビデオデータの２つ以上のレイヤに適用されると決定することと、
前記マルチレイヤビデオデータの前記２つ以上のレイヤと関連付けられる複数のインスタンスを有するシンタックス要素を前記ＳＥＩメッセージが参照すると決定することと、ここにおいて、前記シンタックス要素の前記複数のインスタンスが、前記マルチレイヤビデオデータの第１のレイヤと関連付けられる第１の有効シーケンスパラメータセットシンタックス構造中の前記シンタックス要素の第１のインスタンスと、前記マルチレイヤビデオデータの第２のレイヤと関連付けられる第２の有効シーケンスパラメータセットシンタックス構造中の前記シンタックス要素の第２のインスタンスとを備える、
前記複数のインスタンスのすべてを同じ値に設定することと
を備える、方法。
【請求項２】
前記シンタックス要素の値が、前記マルチレイヤビデオデータのコーディングされたビデオシーケンスがフレームまたはフィールドを含むかどうかを示す、請求項１に記載の方法。
【請求項３】
前記シンタックス要素の値が、前記マルチレイヤビデオデータのコーディングされたビデオシーケンスに対するソーススキャンタイプを示す、請求項１に記載の方法。
【請求項４】
前記シンタックス要素がｆｉｅｌｄ＿ｓｅｑ＿ｆｌａｇシンタックス要素を備える、請求項１に記載の方法。
【請求項５】
前記シンタックス要素がｇｅｎｅｒａｌ＿ｐｒｏｇｒｅｓｓｉｖｅ＿ｓｏｕｒｃｅ＿ｆｌａｇシンタックス要素を備える、請求項１に記載の方法。
【請求項６】
前記シンタックス要素がｇｅｎｅｒａｌ＿ｉｎｔｅｒｌａｃｅｄ＿ｓｏｕｒｃｅ＿ｆｌａｇシンタックス要素を備える、請求項１に記載の方法。
【請求項７】
前記方法が、ワイヤレス通信デバイス上で実行可能であり、前記ワイヤレス通信デバイスが、
前記マルチレイヤビデオデータを記憶するように構成されるメモリと、
前記メモリに記憶されている前記マルチレイヤビデオデータを処理するための命令を実行するように構成される１つまたは複数のプロセッサと、
前記マルチレイヤビデオデータを送信するように構成される送信機と
を備える、請求項１に記載の方法。
【請求項８】
前記ワイヤレス通信デバイスがモバイルネットワークデバイスであり、前記送信機が、セルラー通信規格に従って変調されたデータとして前記マルチレイヤビデオデータを送信するように構成される、請求項７に記載の方法。
【請求項９】
マルチレイヤビデオデータを符号化するための装置であって、
補足強化情報（ＳＥＩ）メッセージが前記マルチレイヤビデオデータの２つ以上のレイヤに適用されると決定するための手段と、
前記マルチレイヤビデオデータの前記２つ以上のレイヤと関連付けられる複数のインスタンスを有するシンタックス要素を前記ＳＥＩメッセージが参照すると決定するための手段と、ここにおいて、前記シンタックス要素の前記複数のインスタンスが、前記マルチレイヤビデオデータの第１のレイヤと関連付けられる第１の有効シーケンスパラメータセットシンタックス構造中の前記シンタックス要素の第１のインスタンスと、前記マルチレイヤビデオデータの第２のレイヤと関連付けられる第２の有効シーケンスパラメータセットシンタックス構造中の前記シンタックス要素の第２のインスタンスとを備える、
前記複数のインスタンスのすべてを同じ値に設定するための手段と
を備える、装置。
【請求項１０】
前記シンタックス要素の値が、前記マルチレイヤビデオデータのコーディングされたビデオシーケンスがフレームまたはフィールドを含むかどうかを示す、請求項９に記載の装置。
【請求項１１】
前記シンタックス要素の値が、前記マルチレイヤビデオデータのコーディングされたビデオシーケンスに対するソーススキャンタイプを示す、請求項９に記載の装置。
【請求項１２】
前記シンタックス要素がｆｉｅｌｄ＿ｓｅｑ＿ｆｌａｇシンタックス要素を備える、請求項９に記載の装置。
【請求項１３】
１つまたは複数のプロセッサによって実行されると、前記１つまたは複数のプロセッサに、請求項１−８のうちのいずれかに従った方法を実行させる命令を記憶した、コンピュータ可読記憶媒体。
【手続補正書】
【提出日】平成30年6月6日(2018.6.6)
【手続補正１】
【補正対象書類名】特許請求の範囲
【補正対象項目名】全文
【補正方法】変更
【補正の内容】
【特許請求の範囲】
【請求項１】
マルチワイヤシグナリングのための装置であって、
少なくとも3つのワイヤを備える複数のワイヤと、
前記複数のワイヤのうちの少なくとも1つに結合された少なくとも1つの遅延素子であって、前記少なくとも1つの遅延素子は、前記複数のワイヤのうちのワイヤに関連付けられた信号伝搬時間が、前記複数のワイヤのうちの別のワイヤに関連付けられた信号伝搬時間と等しくないように、かつ、前記複数のワイヤのワイヤペアに関連付けられた信号伝搬時間が、誤差限界内で互いに等しいように、信号遅延の量を与えるためのものである、少なくとも1つの遅延素子と
を備える装置。
【請求項２】
前記少なくとも1つの遅延素子が受動遅延構造を備える、請求項1に記載の装置。
【請求項３】
前記複数のワイヤのうちの前記少なくとも1つの各々の全長が、遅延素子に結合されていない前記ワイヤの各々の長さよりも長いように、前記少なくとも1つの遅延素子が、定義された長さのワイヤを備える、請求項1に記載の装置。
【請求項４】
前記少なくとも1つの遅延素子が能動遅延デバイスを備える、請求項1に記載の装置。
【請求項５】
前記少なくとも1つの遅延素子がプログラマブル遅延デバイスを備え、
前記装置が、前記少なくとも1つの遅延素子の遅延を制御するために、少なくとも1つの制御信号を生成するために、遅延コントローラをさらに備える、請求項1に記載の装置。
【請求項６】
前記複数のワイヤの前記ワイヤペアに関連付けられた前記信号伝搬時間が、前記誤差限界内で互いに等しいように、前記少なくとも1つの制御信号が、前記少なくとも1つの遅延素子の前記遅延を制御する、請求項5に記載の装置。
【請求項７】
前記遅延コントローラが、前記ワイヤの長さに基づいて、前記少なくとも1つの制御信号を生成するようにさらに構成されるか、または、
前記遅延コントローラが、前記ワイヤペアに関連付けられた前記信号伝搬時間に基づいて、前記少なくとも1つの制御信号を生成するようにさらに構成される、請求項5に記載の装置。
【請求項８】
前記遅延コントローラが、前記ワイヤによって搬送される信号の信号周波数に基づいて、前記少なくとも1つの制御信号を生成するようにさらに構成される、請求項5に記載の装置。
【請求項９】
前記遅延コントローラが、そのための信号が前記ワイヤを介して送信されるアプリケーションに基づいて、前記少なくとも1つの制御信号を生成するようにさらに構成されるか、または、
前記遅延コントローラが、プロセス、電圧、および温度(PVT)条件に基づいて、前記少なくとも1つの制御信号を生成するようにさらに構成される、請求項5に記載の装置。
【請求項１０】
前記ワイヤに結合され、特定のデータ転送について、前記複数のワイヤの前記ワイヤペアのうちの特定の1つを駆動し、それによって、前記複数のワイヤのうちの1つおきのワイヤが高インピーダンス状態であるように構成された、ドライバ回路をさらに備え、
前記ドライバ回路が、前記少なくとも1つの遅延素子を具現化する、請求項1に記載の装置。
【請求項１１】
前記ワイヤに結合され、前記複数のワイヤの前記ワイヤペアのうちの特定の1つが駆動されていること、および、前記複数のワイヤのうちの1つおきのワイヤが高インピーダンス状態であることに基づいて、特定のデータ転送についての情報を復号するように構成された、受信機回路をさらに備え、
前記受信機回路が、前記少なくとも1つの遅延素子を具現化する、請求項1に記載の装置。
【請求項１２】
前記複数のワイヤが、3つのワイヤと3つのワイヤペアとからなる、請求項1に記載の装置。
【請求項１３】
前記少なくとも1つの遅延素子が、前記3つのワイヤのうちの中央のワイヤに結合された遅延素子からなる、請求項1に記載の装置。
【請求項１４】
前記複数のワイヤが、少なくとも2つの中央のワイヤを含む少なくとも4つのワイヤからなり、
前記少なくとも1つの遅延素子が、少なくとも2つの遅延素子からなり、前記遅延素子の各々が、前記少なくとも2つの中央のワイヤのそれぞれ1つに結合される、請求項1に記載の装置。
【請求項１５】
マルチワイヤシグナリングのための方法であって、
複数のワイヤのワイヤペアに関連付けられた信号伝搬時間を決定するステップであって、前記複数のワイヤは少なくとも3つのワイヤを備える、ステップと、
前記複数のワイヤのうちのワイヤに関連付けられた信号伝搬時間が、前記複数のワイヤのうちの別のワイヤに関連付けられた信号伝搬時間と等しくないように、かつ、前記複数のワイヤの前記ワイヤペアに関連付けられた前記信号伝搬時間が、誤差限界内で互いに等しいように、前記ワイヤのうちの少なくとも1つに結合された少なくとも1つの遅延素子のための遅延を指定するステップと
を含む方法。
【手続補正書】
【提出日】平成29年12月4日(2017.12.4)
【手続補正１】
【補正対象書類名】特許請求の範囲
【補正対象項目名】全文
【補正方法】変更
【補正の内容】
【特許請求の範囲】
【請求項１】
プレーンＡＳＣＩＩデータストリームを符号化する方法であって、前記方法は、デジタル処理システムにおいて実行され、前記方法は、
符号化内容として符号化される文字ストリームを受信するステップを含み、各文字が対応するプレーンＡＳＣＩＩコードとして表され、
前記文字ストリーム内に隣接する一対の文字を選択するステップと、
前記一対の文字が子音およびその後に続く文字セットのうち１文字、または母音およびその後に続く文字セットのうち１文字を含むか否かという条件で、前記一対の文字を検査するステップとを含み、前記文字セットは、母音およびスペースのみから選択され、
前記条件が満たされている場合、前記一対の文字を前記符号化内容にするように対応する拡張ＡＳＣＩＩコードを発行し、前記文字ストリームの次の２文字を次の反復用の対として形成するステップと、
前記条件が満たされていない場合、前記一対の文字の第１文字を対応するプレーンＡＳＣＩＩコードとして前記符号化内容に発行し、前記一対の文字の第２文字を第１文字として、前記文字ストリームの次の文字を第２文字として、次の反復用の一対の文字を形成するステップと、
前記形成された対を用いて、前記文字ストリームの全体が前記符号化内容に符号化されるまで、前記検査および前記発行の次の反復を実行するステップとを含む、方法。
【請求項２】
前記文字セットは、５つの文字のみを含む、請求項１に記載の方法。
【請求項３】
前記文字セットは、大文字の母音または小文字の母音のみを含む、請求項２に記載の方法。
【請求項４】
前記文字セットは、４つの母音および前記スペースを含む、請求項２に記載の方法。
【請求項５】
前記４つの母音は、ａ、ｅ、ｉおよびｏを含む、請求項４に記載の方法。
【請求項６】
前記文字ストリームのさらなる圧縮表現を生成するために、圧縮手法を用いて前記発行されたコードを処理するステップをさらに含む、請求項１〜５のいずれか１項に記載の方法。
【請求項７】
デジタル処理システムであって、
プロセッサと、
ランダムアクセスメモリ（ＲＡＭ）と、
１つ以上の命令を格納する機械可読媒体とを備え、前記命令は、前記プロセッサによって前記ＲＡＭに取り込まれ、実行されると、前記デジタル処理システムに文字ストリームを処理させ、前記デジタル処理システムは、以下の動作を実行し、これらの動作は、
符号化内容として符号化される文字ストリームを受信する動作を含み、各文字が対応するプレーンＡＳＣＩＩコードとして表され、
前記文字ストリーム内に隣接する一対の文字を選択する動作と、
前記一対の文字が子音およびその後に続く文字セットのうち１文字、または母音およびその後に続く文字セットのうち１文字を含むか否かという条件で、前記一対の文字を検査する動作とを含み、前記文字セットは、母音およびスペースのみから選択され、
前記条件が満たされている場合、前記一対の文字を前記符号化内容にするように対応する拡張ＡＳＣＩＩコードを発行し、前記文字ストリームの次の２文字を次の反復用の対として形成する動作と、
前記条件が満たされていない場合、前記一対の文字の第１文字を対応するプレーンＡＳＣＩＩコードとして前記符号化内容に発行し、前記一対の文字の第２文字を第１文字として、前記文字ストリームの次の文字を第２文字として、次の反復用の一対の文字を形成する動作と、
前記形成された対を用いて、前記文字ストリームの全体が前記符号化内容に符号化されるまで、前記検査および前記発行の次の反復を実行する動作とを含む、デジタル処理システム。
【請求項８】
請求項１〜６のいずれかに記載の方法をコンピュータに実行させるためのプログラム。
【手続補正書】
【提出日】平成30年6月4日(2018.6.4)
【手続補正１】
【補正対象書類名】特許請求の範囲
【補正対象項目名】全文
【補正方法】変更
【補正の内容】
【特許請求の範囲】
【請求項１】
ビットストリームの中のビデオ情報をコード化するための装置であって、
第１のピクチャを含む第１のレイヤに関連するビデオ情報を記憶するように構成されたメモリと、
前記メモリと通信するプロセッサと、
を備え、前記プロセッサは、
前記第１のピクチャが、１に等しいＮｏＲａｓｌＯｕｔｐｕｔＦｌａｇ値を有するＩＲＡＰピクチャであるか、又は０に等しいｎｕｈ＿ｌａｙｅｒ＿ｉｄ値を有するとともに１に等しいＮｏＣｌｒａｓＯｕｔｐｕｔＦｌａｇ値を有するＩＲＡＰピクチャに後続する０よりも大きいｎｕｈ＿ｌａｙｅｒ＿ｉｄを有する現在レイヤの最初のピクチャであるかを決定することと、
前記第１のピクチャが、１に等しいＮｏＲａｓｌＯｕｔｐｕｔＦｌａｇ値を有するＩＲＡＰピクチャでないという決定、及び０に等しいｎｕｈ＿ｌａｙｅｒ＿ｉｄ値を有するとともに１に等しいＮｏＣｌｒａｓＯｕｔｐｕｔＦｌａｇ値を有するＩＲＡＰピクチャに後続する０よりも大きいｎｕｈ＿ｌａｙｅｒ＿ｉｄを有する前記現在レイヤの前記最初のピクチャでないという決定に基づいて、復号ピクチャバッファ（ＤＰＢ）の中の複数のピクチャの最高ピクチャ順序カウント（ＰＯＣ）と最低ＰＯＣとの間の差分が閾値よりも小さくなるように、ピクチャ順序カウント（ＰＯＣ）値を制約することと
を行うように構成される、装置。
【請求項２】
前記ＤＰＢの中の前記複数のピクチャが、前記第１のピクチャと、前記第１のレイヤに属するピクチャの第１のセットとを含む、請求項１に記載の装置。
【請求項３】
ピクチャの前記第１のセットが、前記第１のピクチャに復号順序において先行し、０に等しい時間ＩＤ値を有し、ＲＡＳＬピクチャ、ＲＡＤＬピクチャ又はサブレイヤ非参照ピクチャでない、１つ以上のピクチャを含む、請求項２に記載の装置。
【請求項４】
ピクチャの前記第１のセットが、前記第１のピクチャの短期参照ピクチャを含む、請求項２に記載の装置。
【請求項５】
ピクチャの前記第１のセットが、前記第１のピクチャに復号順序において先行するとともにそれぞれ前記ピクチャが出力されるべきことを示すフラグに関連する全てのピクチャを含む、請求項２に記載の装置。
【請求項６】
前記プロセッサは、前記第１のピクチャが、１に等しいＮｏＲａｓｌＯｕｔｐｕｔＦｌａｇ値を有するＩＲＡＰピクチャであるという、又は０に等しいｎｕｈ＿ｌａｙｅｒ＿ｉｄ値を有するとともに１に等しいＮｏＣｌｒａｓＯｕｔｐｕｔＦｌａｇ値を有するＩＲＡＰピクチャに後続する０よりも大きいｎｕｈ＿ｌａｙｅｒ＿ｉｄを有する現在レイヤの最初のピクチャであるという前記決定に基づいて、前記ＤＰＢの中の前記複数のピクチャの前記最高ＰＯＣと前記最低ＰＯＣとの間の前記差分が閾値よりも小さいかどうかを決定することを控えるようにさらに構成される、請求項１に記載の装置。
【請求項７】
前記プロセッサは、第５のピクチャに復号順序において後続するか、又は前記第５のピクチャと同じＡＵの中にあり、第２の条件を満たしている第７のピクチャに復号順序において先行し、前記第５のピクチャに復号順序において後続するか、又は前記第５のピクチャと同じＡＵの中にあり前記第７のピクチャに復号順序において先行する第４のピクチャのＤＰＢ出力時間よりも大きいＤＰＢ出力時間を有するところの第３のピクチャが、前記第４のピクチャのＰＯＣよりも大きいＰＯＣを有するかどうかを決定するようにさらに構成される、請求項１に記載の装置。
【請求項８】
ビットストリームの中のビデオ情報をコード化するための方法であって、
第１のピクチャが、１に等しいＮｏＲａｓｌＯｕｔｐｕｔＦｌａｇ値を有するＩＲＡＰピクチャであるか、又は０に等しいｎｕｈ＿ｌａｙｅｒ＿ｉｄ値を有するとともに１に等しいＮｏＣｌｒａｓＯｕｔｐｕｔＦｌａｇ値を有するＩＲＡＰピクチャに後続する０よりも大きいｎｕｈ＿ｌａｙｅｒ＿ｉｄを有する現在レイヤの最初のピクチャであるかを決定することと、
第１のピクチャが、１に等しいＮｏＲａｓｌＯｕｔｐｕｔＦｌａｇ値を有するＩＲＡＰピクチャでないという、及び０に等しいｎｕｈ＿ｌａｙｅｒ＿ｉｄ値を有するとともに１に等しいＮｏＣｌｒａｓＯｕｔｐｕｔＦｌａｇ値を有するＩＲＡＰピクチャに後続する０よりも大きいｎｕｈ＿ｌａｙｅｒ＿ｉｄを有する前記現在レイヤの前記最初のピクチャでないという決定に基づいて、復号ピクチャバッファ（ＤＰＢ）の中の複数のピクチャの最高ピクチャ順序カウント（ＰＯＣ）と最低ＰＯＣとの間の差分が閾値よりも小さくなるように、ピクチャ順序カウント（ＰＯＣ）値を制約することと、
前記ビットストリームの中の前記現在ＡＵに関連するシンタックス要素をコード化することと
を備える、方法。
【請求項９】
前記ＤＰＢの中の前記複数のピクチャが、前記第１のピクチャと、第１のレイヤに属するピクチャの第１のセットとを含む、請求項８に記載の方法。
【請求項１０】
ピクチャの前記第１のセットが、前記第１のピクチャに復号順序において先行し、０に等しい時間ＩＤ値を有し、ＲＡＳＬピクチャ、ＲＡＤＬピクチャ又はサブレイヤ非参照ピクチャでない、１つ以上のピクチャを含む、請求項９に記載の方法。
【請求項１１】
ピクチャの前記第１のセットが、前記第１のピクチャの短期参照ピクチャを含む、請求項９に記載の方法。
【請求項１２】
ピクチャの前記第１のセットが、前記第１のピクチャに復号順序において先行するとともにそれぞれ前記ピクチャが出力されるべきことを示すフラグに関連する全てのピクチャを含む、請求項９に記載の方法。
【請求項１３】
第１のピクチャが、１に等しいＮｏＲａｓｌＯｕｔｐｕｔＦｌａｇ値を有するＩＲＡＰピクチャであるという、又は０に等しいｎｕｈ＿ｌａｙｅｒ＿ｉｄ値を有するとともに１に等しいＮｏＣｌｒａｓＯｕｔｐｕｔＦｌａｇ値を有するＩＲＡＰピクチャに後続する０よりも大きいｎｕｈ＿ｌａｙｅｒ＿ｉｄを有する現在レイヤの最初のピクチャであるという決定に基づいて、前記ＤＰＢの中の前記複数のピクチャの前記最高ＰＯＣと前記最低ＰＯＣとの間の前記差分が閾値よりも小さいかどうかを決定することを控えることをさらに備える、請求項８に記載の方法。
【請求項１４】
実行されたとき、装置に、請求項８乃至１３のいずれかに記載の方法を行わせるコードを備える非一時的コンピュータ可読媒体。
【手続補正書】
【提出日】平成30年3月20日(2018.3.20)
【手続補正１】
【補正対象書類名】特許請求の範囲
【補正対象項目名】全文
【補正方法】変更
【補正の内容】
【特許請求の範囲】
【請求項１】
コンピュータによって実現される方法であって、
デバイスが、インフォテインメントシステムの構成要素から、前記構成要素において入力された入力を受信することを備え、前記インフォテインメントシステムは、前記デバイスから遠隔であり自動車に組込まれており、さらに、
前記デバイスが、アプリケーションについてのレンダリング速度を決定することと、
前記デバイスが、前記レンダリング速度に応答してダミーフレームを生成することと、
前記デバイスが、前記ダミーフレームを含む複数のフレームを前記デバイスのエンコーダに与えることと、
前記エンコーダが、前記ダミーフレームを含む前記複数のフレームをレンダリングすることと、
前記デバイスが、前記複数のフレームを前記構成要素に与えることとを備える、方法。
【請求項２】
前記複数のフレームは、前記ダミーフレームおよび定期的にレンダリングされるフレームを含む、請求項１に記載の方法。
【請求項３】
前記構成要素はディスプレイを含み、前記入力は接触を含む、請求項１または２に記載の方法。
【請求項４】
前記ダミーフレームを生成する前に、前記デバイスが、前記レンダリング速度が閾値レベル未満であると決定することをさらに備える、請求項１から３のいずれか１項に記載の方法。
【請求項５】
前記ダミーフレームを生成する前に、前記デバイスが、前記レンダリング速度が一定でないと決定することをさらに備える、請求項１から４のいずれか１項に記載の方法。
【請求項６】
前記複数のフレームを与えることは、前記複数のフレームを前記構成要素のデコーダに与えることを含む、請求項１から５のいずれか１項に記載の方法。
【請求項７】
前記複数のフレームは、前記構成要素上の前記アプリケーションの提示の一部の更新を表わす、請求項１から６のいずれか１項に記載の方法。
【請求項８】
前記構成要素はディスプレイを含む、請求項１または２に記載の方法。
【請求項９】
デバイスであって、
プロセッサと、
前記プロセッサと通信しているエンコーダと、
前記プロセッサと通信しており命令を格納している非一時的なコンピュータ読取可能媒体とを備え、前記命令は前記プロセッサによって実行されると前記プロセッサに動作を実行させ、前記動作は、
前記デバイスから遠隔であり自動車に組込まれているインフォテインメントシステムの構成要素から、前記構成要素において入力された入力を受信することと、
アプリケーションについてのレンダリング速度を決定することとを含み、前記アプリケーションは前記デバイス上で実行され、前記動作はさらに、
前記レンダリング速度に応答してダミーフレームを生成することと、
前記ダミーフレームを含む複数のフレームを前記エンコーダに与えることと、
前記エンコーダに前記ダミーフレームを含む前記複数のフレームをレンダリングさせることと、
前記複数のフレームを前記構成要素に与えることとを含む、デバイス。
【請求項１０】
前記生成することは、前記エンコーダによって生成することを含む、請求項９に記載のデバイス。
【請求項１１】
前記レンダリングさせることは、前記ダミーフレームを含む前記複数のフレームでパイプラインを充填することを含む、請求項９または１０に記載のデバイス。
【請求項１２】
前記複数のフレームを与えることは、投影アーキテクチャに従って前記複数のフレームを前記構成要素に送信することを含む、請求項９から１１のいずれか１項に記載のデバイス。
【請求項１３】
前記構成要素はディスプレイを含む、請求項９から１２のいずれか１項に記載のデバイス。
【請求項１４】
命令を格納しているプログラムであって、前記命令はプロセッサによって実行されると前記プロセッサに動作を実行させ、前記動作は、
自動車に組込まれているインフォテインメントシステムの構成要素から、前記構成要素において入力された入力を受信することと、
アプリケーションについてのレンダリング速度を決定することと、
前記レンダリング速度に基づいてダミーフレームの量を決定することと、
前記ダミーフレームの前記量の決定に基づいて一組の前記ダミーフレームを生成することと、
前記ダミーフレームを含む複数のフレームを、前記プロセッサと通信しているエンコーダに与えることと、
前記エンコーダに前記一組の前記ダミーフレームを含む前記複数のフレームをレンダリングさせることと、
前記複数のフレームを前記構成要素に与えることとを含む、プログラム。
【請求項１５】
前記ダミーフレームの量を決定することは、パイプラインのステージの数にさらに基づく、請求項１４に記載のプログラム。
【請求項１６】
前記ダミーフレームの量を決定することは、パイプラインのステージの数および定期的にレンダリングされるフレームの数にさらに基づく、請求項１４または１５に記載のプログラム。
【請求項１７】
前記レンダリングさせることは、パイプラインを充填することを含む、請求項１４から１６のいずれか１項に記載のプログラム。
【請求項１８】
前記レンダリングさせることは、前記一組の前記ダミーフレームおよび視認可能な定期的にレンダリングされるフレームでパイプラインを充填することを含む、請求項１４から１７のいずれか１項に記載のプログラム。
【請求項１９】
前記レンダリングさせることは、前記一組の前記ダミーフレームおよび視認可能な定期的にレンダリングされるフレームの各々をパイプライン内で順序付けることを含む、請求項１４から１８のいずれか１項に記載のプログラム。
【請求項２０】
前記構成要素はディスプレイを含む、請求項１４から１９のいずれか１項に記載のプログラム。
【手続補正書】
【提出日】平成30年6月8日(2018.6.8)
【手続補正１】
【補正対象書類名】特許請求の範囲
【補正対象項目名】全文
【補正方法】変更
【補正の内容】
【特許請求の範囲】
【請求項１】
出力三次元画像を生成するための機器であり、
中間三次元画像を生成するための第１の画像生成ユニットであって、当該中間三次元画像は当該中間三次元画像の空間的副区分である複数の領域を含み、前記第１の画像生成ユニットは奥行ベースの処理を使用して前記複数の領域の画素値の或る数の画像ブロックを生成し、前記画像ブロックの数は前記複数の領域のうちの少なくとも２つの領域について異なり、各画像ブロックは視方向に対応する画素群の画素値を含む、第１の画像生成ユニットと、
非奥行ベースの処理を使用して幾つかのビュー画像を含む前記出力三次元画像を前記中間三次元画像から生成するための第２の画像生成ユニットであって、前記幾つかのビュー画像のそれぞれは視方向に対応する、第２の画像生成ユニットと、
前記第１の画像生成ユニットが三次元シーン表現から前記中間三次元画像を生成する当該三次元シーン表現と前記中間三次元画像との少なくとも一方の特性に応じて、前記複数の領域のうちの少なくとも第１の領域について異なる視方向を有する前記第１の画像生成ユニットによって生成された前記画像ブロックの数を局所的に適合させるためのアダプタと、
を含む、機器。
【請求項２】
前記特性は奥行の測度である、請求項１に記載の機器。
【請求項３】
前記特性はコントラストの測度である、請求項１に記載の機器。
【請求項４】
前記アダプタは、前記第１の画像生成ユニットの計算資源の可用性に応じて前記第１の領域の前記画像ブロックの数を更に決定する、請求項１に記載の機器。
【請求項５】
前記複数の領域は、少なくとも１つの画素行によって形成される領域を含む、請求項１に記載の機器。
【請求項６】
前記複数の領域のうちの少なくとも１つの領域は、画素行の画素のサブセットのみを含む、請求項１に記載の機器。
【請求項７】
前記第１の画像生成ユニットは、第１の数の視方向について、前記複数の領域の全領域の画像ブロックを生成し、その後、前記アダプタは、前記第１の数の視角に関する各領域の画像ブロック間の視差に応じて、少なくとも１つの更なる視方向についての画像ブロックを生成する前記複数の領域のうちの領域のサブセットを選択する、請求項１に記載の機器。
【請求項８】
前記アダプタは、視差の測度が閾値を上回ることに応じて、少なくとも１つの更なる視角の画像ブロックを生成する領域を選択し、前記視差の測度は、前記更なる視角に隣接する２つの視角の２つの画像ブロックの視差の測度である、請求項１に記載の機器。
【請求項９】
前記アダプタは、奥行の測度が閾値を下回る領域のサブセットを決定し、当該サブセットの各領域内の画像ブロックの数を１に設定する、請求項１に記載の機器。
【請求項１０】
前記特性は視覚的特性である、請求項１に記載の機器。
【請求項１１】
前記特性は明度の特性及び色の特性の少なくとも一方を示す、請求項１に記載の機器。
【請求項１２】
前記第１の画像生成ユニットは、三次元シーンの三次元モデルに基づいて前記中間三次元画像を生成し、
前記アダプタは前記三次元モデルの特性に応じて前記画像ブロックの数を適合させる、請求項１に記載の機器。
【請求項１３】
中間三次元画像を生成するための第１の画像生成ユニットであって、当該中間三次元画像は当該中間三次元画像の空間的副区分である複数の領域を含み、当該第１の画像生成ユニットは奥行ベースの処理を使用して前記複数の領域の視方向に対応する画素値の或る数の画像ブロックを生成し、当該画像ブロックの数は複数の領域のうちの少なくとも２つの領域について異なり、当該各画像ブロックは視方向に対応する画素群の画素値を含む、第１の画像生成ユニットと、
非奥行ベースの処理を使用して幾つかの数のビュー画像を含む前記出力三次元画像を前記中間三次元画像から生成するための第２の画像生成ユニットであって、前記幾つかの数のビュー画像のそれぞれは視方向に対応する、当該第２の画像生成ユニットと、
三次元画像を表示するためのディスプレイ構成部と、
前記出力三次元画像を表示するためにディスプレイ構成部を駆動するためのディスプレイドライバと、
前記中間三次元画像及び前記第１の画像生成ユニットへの三次元入力画像の少なくとも一方の特性に応じて、前記複数の領域のうちの少なくとも第１の領域について異なる視方向を有する前記第１の画像生成ユニットによって生成された画像ブロックの数を局所的に適合させるためのアダプタと、
を含む、オートステレオスコピック三次元ディスプレイ。
【請求項１４】
奥行ベースの処理を使用して複数の領域の視方向に対応する画素値の或る数の画像ブロックを生成することによって、中間三次元画像の空間的副区分である前記複数の領域を含む、前記中間三次元画像を生成するステップであって、前記画像ブロックの数は複数の領域のうちの少なくとも２つの領域について異なり、各画像ブロックは視方向に対応する画素群の画素値を含む、ステップと、
非奥行ベースの処理を使用して幾つかのビュー画像を含む出力三次元画像を前記中間三次元画像から生成するステップであって、幾つかのビュー画像のそれぞれは視方向に対応する、ステップと、
前記中間三次元画像及び当該中間三次元画像を生成するために使用される三次元入力画像の少なくとも一方の特性に応じて、前記複数の領域のうちの少なくとも第１の領域について異なる視方向を有する前記第１の画像生成ユニットによって生成された画像ブロックの数を局所的に適合させるステップと、
を含む、出力三次元画像の生成方法。
【請求項１５】
コンピュータプログラムがコンピュータ上で実行される時に、請求項１４に記載の出力三次元画像の生成方法の全てのステップを実行するコンピュータプログラムコード手段を有する、コンピュータプログラム。
【手続補正書】
【提出日】平成30年5月25日(2018.5.25)
【手続補正１】
【補正対象書類名】特許請求の範囲
【補正対象項目名】全文
【補正方法】変更
【補正の内容】
【特許請求の範囲】
【請求項１】
装置において使用可能な、機能情報を通信する方法であって、
半二重モードまたは同一周波数全二重モードを使用して、搬送波を介して別のデバイスと通信するステップと、
前記装置が前記半二重モードで動作中か、それとも前記同一周波数全二重モードで動作中かに基づく複数の特徴をサポートするために前記装置の機能を示す機能指示を送信するステップと
を含み、
前記機能指示は、前記装置が前記半二重モードで通信するか、または前記同一周波数全二重モードで通信するかに基づき、前記複数の特徴のうちの1つまたは複数の特徴が前記装置において使用可能または使用不能にされることを示すために、前記複数のサポートされる特徴の量未満のビット数を有するメッセージを含む、方法。
【請求項２】
前記機能指示が、第2の特徴が構成されない場合は第1の特徴がサポートされることを示すように構成される請求項1に記載の方法。
【請求項３】
前記機能指示が、第2の特徴が構成される場合は第1の特徴がサポートされることを示すように構成される請求項1に記載の方法。
【請求項４】
前記機能指示が、前記特徴の少なくともいくつかのサポートを個々に示さないように構成される請求項1に記載の方法。
【請求項５】
前記機能指示が、データユニット内の最大ビット数、通信のためにアグリゲートされる搬送波の数、通信モード、信号変調方式、またはデバイスカテゴリのうちの少なくとも1つを示すように構成される請求項1に記載の方法。
【請求項６】
前記装置が、中継ノード、ユーザ機器、基地局、またはネットワークエンティティのうちの少なくとも1つを含む請求項1に記載の方法。
【請求項７】
前記機能指示を送信する前記ステップが、前記装置に直接には接続されない前記別のデバイスに前記機能指示を送信するステップを含む請求項1に記載の方法。
【請求項８】
前記装置が1次デバイスまたは2次デバイスを備える請求項1に記載の方法。
【請求項９】
前記機能指示がシグナリングメッセージを含む請求項1に記載の方法。
【請求項１０】
装置において使用可能である通信の方法であって、
半二重モードまたは同一周波数全二重モードを使用して、搬送波を介して別のデバイスと通信するステップと、
前記別のデバイスが半二重モードで動作中か、それとも同一周波数全二重モードで動作中かに基づく複数の特徴をサポートするために前記別のデバイスの機能を示す機能指示を前記別のデバイスから受信するステップであって、
前記機能指示が、前記装置が前記半二重モードで通信するか、または前記同一周波数全二重モードで通信するかに基づき、前記複数の特徴のうちの1つまたは複数の特徴が前記装置において使用可能または使用不能にされることを示すために、前記複数のサポートされる特徴の量未満のビット数を有するメッセージを含む、ステップと、
前記機能指示に応答して、前記機能指示に基づいて前記複数の特徴をサポートするように前記装置を構成するステップと
を含む、方法。
【請求項１１】
別のデバイスとの通信のために構成された装置であって、
半二重モードまたは同一周波数全二重モードを使用して、搬送波を介して前記別のデバイスと通信するための手段と、
前記装置が前記半二重モードで動作中か、それとも前記同一周波数全二重モードで動作中かに基づく複数の特徴をサポートするために前記装置の機能を示す機能指示を送信するための手段と
を備え、
前記機能指示は、前記装置が前記半二重モードで通信するか、または前記同一周波数全二重モードで通信するかに基づき、前記複数の特徴のうちの1つまたは複数の特徴が前記装置において使用可能または使用不能にされることを示すために、前記複数のサポートされる特徴の量未満のビット数を有するメッセージを含む、装置。
【請求項１２】
別のデバイスとの通信のために構成された装置であって、
半二重モードまたは同一周波数全二重モードを使用して、搬送波を介して前記別のデバイスと通信するための手段と、
前記別のデバイスが前記半二重モードで動作中か、それとも前記同一周波数全二重モードで動作中かに基づく複数の特徴をサポートするために前記別のデバイスの機能を示す機能指示を前記別のデバイスから受信するための手段であって、前記機能指示は、前記装置が前記半二重モードで通信するか、または前記同一周波数全二重モードで通信するかに基づき、前記複数の特徴のうちの1つまたは複数の特徴が前記装置において使用可能または使用不能にされることを示すために、前記複数のサポートされる特徴の量未満のビット数を有するメッセージを含む、手段と、
前記機能指示に応答して、前記機能指示に基づいて前記複数の特徴をサポートするように前記装置を構成するための手段と
を備える、装置。
【請求項１３】
プロセッサによって実行されるときに、請求項１から９のいずれか一項または請求項１０に記載の方法を前記プロセッサに実行させるためのコードを含む、コンピュータ可読記録媒体。
【手続補正書】
【提出日】平成30年9月25日(2018.9.25)
【手続補正１】
【補正対象書類名】特許請求の範囲
【補正対象項目名】全文
【補正方法】変更
【補正の内容】
【特許請求の範囲】
【請求項１】
ジョイントエンコーダであって、第1のデバイスのための第1のユーザデータストリームおよび第2のデバイスのための第2のユーザデータストリームを、
前記第1のユーザデータストリームと前記第2のユーザデータストリームとの間の電力割振りを決定し、
前記第2のユーザデータストリームからの干渉を考慮せず、前記第1のユーザデータストリームの第1のプリコーディング行列を選択し、
前記第1のユーザデータストリームによって引き起こされる干渉を考慮しながら、前記第2のユーザデータストリームの第2のプリコーディング行列を選択する
ことによって、
符号化し、非直交的に結合するように構成されたジョイントエンコーダと、
前記ジョイントエンコーダによって出力された、前記符号化され非直交的に結合された前記第1のユーザデータストリームおよび前記第2のユーザデータストリームをダウンリンク送信としてワイヤレス送信するように構成された送信機回路と
を備えたワイヤレス通信デバイス。
【請求項２】
前記ジョイントエンコーダが、前記第1のユーザデータストリームおよび前記第2のユーザデータストリームに重畳コーディングまたはダーティペーパーコーディングのうちの少なくとも1つを用いる、請求項1に記載のワイヤレス通信デバイス。
【請求項３】
ワイヤレス通信デバイス上で動作可能な方法であって、
第1のデバイスのための第1のユーザデータストリームと第2のデバイスのための第2のユーザデータストリームとの間の電力割振りを決定するステップと、
前記第2のユーザデータストリームからの干渉を考慮せず、前記第1のユーザデータストリームの第1のプリコーディング行列を選択するステップと、
前記第1のユーザデータストリームによって引き起こされる干渉を考慮しながら、前記第2のユーザデータストリームの第2のプリコーディング行列を選択するステップと、
前記選択されたそれぞれのプリコーディング行列に従って、前記第1のユーザデータストリームおよび前記第2のユーザデータストリームを符号化し、非直交的に結合するステップと、
前記非直交的に結合された前記第1のユーザデータストリームおよび前記第2のユーザデータストリームをダウンリンク送信として送信するステップと
を含む、方法。
【請求項４】
前記選択されたそれぞれのプリコーディング行列に従って、前記第1のユーザデータストリームおよび前記第2のユーザデータストリームを符号化し、結合するステップが、
前記第1のユーザデータストリームおよび前記第2のユーザデータストリームに重畳コーディングまたはダーティペーパーコーディングのうちの少なくとも1つを用いるステップを含む、請求項3に記載の方法。
【請求項５】
前記第1のユーザデータストリームによって引き起こされる干渉を考慮しながら、前記第2のユーザデータストリームの前記第2のプリコーディング行列を選択するステップが、
前記第2のユーザデータストリームのための所望のコンスタレーションを決定するステップと、
前記第1のユーザデータストリームが前記第2のユーザデータストリームと結合されるときに前記第1のユーザデータストリームによって引き起こされることになる前記第2のユーザデータストリームに対する干渉を決定するステップと、
前記決定された干渉を伴う前記第2のユーザデータストリームのための新しいコンスタレーションを追加することが、前記第2のユーザデータストリームのための前記所望のコンスタレーションをもたらすように、前記第2のユーザデータストリームのための前記新しいコンスタレーションを計算するステップと
を含む、請求項3に記載の方法。
【請求項６】
ワイヤレス通信デバイスであって、
前記ワイヤレス通信デバイスのための第1のユーザデータストリームであって、他のデバイスのための第2のユーザデータストリームに非直交的に結合された該第1のユーザデータストリームを含むワイヤレスダウンリンク送信を受信するように構成された受信機回路であって、前記第1のユーザデータストリームは、前記非直交的に結合された第2のユーザデータストリームによって引き起こされる干渉の結果として、前記ワイヤレスダウンリンク送信内の予想されたコンスタレーションにおいて受信される、受信機回路と、  前記ワイヤレスダウンリンク送信を取得するために前記受信機回路に結合されたデコーダであって、該デコーダは、前記第1のユーザデータストリーム内のラップアラウンドを考慮しながら、前記ワイヤレスダウンリンク送信内の前記予想されたコンスタレーションから前記第1のユーザデータストリームを復号するように構成される、デコーダと
を備えたワイヤレス通信デバイス。
【請求項７】
前記第1のユーザデータストリームによって引き起こされる干渉を考慮しながら、前記第2のユーザデータストリームの前記第2のプリコーディング行列を選択することが、
前記第1のユーザデータストリームを符号化およびプリコーディングすることからの結果を利用して、前記第2のユーザデータストリームを符号化およびプリコーディングするための入力を提供することを含む、請求項1に記載のワイヤレス通信デバイス。
【請求項８】
前記第1のユーザデータストリームによって引き起こされる干渉を考慮しながら、前記第2のユーザデータストリームの前記第2のプリコーディング行列を選択することが、
前記第2のユーザデータストリームのための所望のコンスタレーションを決定することと、
前記第1のユーザデータストリームが前記第2のユーザデータストリームと結合されるときに前記第1のユーザデータストリームによって引き起こされることになる前記第2のユーザデータストリームに対する干渉を決定することと、
前記決定された干渉を伴う前記第2のユーザデータストリームのための新しいコンスタレーションを追加することが、前記第2のユーザデータストリームのための前記所望のコンスタレーションをもたらすように、前記第2のユーザデータストリームのための前記新しいコンスタレーションを計算することと
を含む、請求項1に記載のワイヤレス通信デバイス。
【請求項９】
前記第1のユーザデータストリームによって引き起こされる干渉を考慮しながら、前記第2のユーザデータストリームの前記第2のプリコーディング行列を選択するステップが、
前記第1のユーザデータストリームを符号化およびプリコーディングすることからの結果を利用して、前記第2のユーザデータストリームを符号化およびプリコーディングするための入力を提供するステップを含む、請求項3に記載の方法。
【手続補正書】
【提出日】平成30年4月26日(2018.4.26)
【手続補正１】
【補正対象書類名】特許請求の範囲
【補正対象項目名】全文
【補正方法】変更
【補正の内容】
【特許請求の範囲】
【請求項１】
ユーザインタフェースと、
光源からの光を含むシーンの画像を取得するためのカメラと、
処理モジュールと
を含む、符号化光成分を検出するためのデバイスであって、
前記光源からの前記光は、前記符号化光成分で変調され、前記カメラは、複数のラインに分割された撮像素子を含み、これによって前記画像を取得するために、前記ラインが異なる時点で順に露光され、前記撮像素子は平面を画定し、
前記処理モジュールは、前記撮像素子の前記ラインに対する、前記撮像素子の前記平面上に投影された前記光源の配向角度を検出し、これに基づいて、前記光源からの光のフットプリントが、前記画像において増大された数の前記ラインをカバーする前記デバイスの目標再配向を決定し、
前記ユーザインタフェースは、前記目標再配向を実行するように前記デバイスを回転させるようユーザを誘導するために、前記ユーザに前記目標再配向の表示を出力する、デバイス。
【請求項２】
前記目標再配向は、前記光源からの前記デバイスの現在の距離において、前記フットプリントによってカバー可能な最大数の前記ラインをカバーするために、前記光源からの光の前記フットプリントに対して要求される、請求項１に記載のデバイス。
【請求項３】
前記ユーザインタフェースは、ディスプレイを含み、取得される前記画像は、前記ディスプレイ上に表示されない、請求項１又は２に記載のデバイス。
【請求項４】
ポータブルデバイス、スマートフォン、又はタブレットの１つである、請求項１乃至３の何れか一項に記載のデバイス。
【請求項５】
前記ユーザインタフェースは、ディスプレイを含み、前記目標再配向の前記表示は、前記ディスプレイを介して前記ユーザに出力される、請求項１乃至４の何れか一項に記載のデバイス。
【請求項６】
前記表示は、
前記ディスプレイ上に示された文章であって、前記文章を真っ直ぐに読むことは、前記ユーザが前記デバイスを前記目標再配向に回転させることを必要とするように前記ディスプレイ上で配向される前記文章、及び／又は
前記ディスプレイ上のグラフィックであって、前記グラフィックを真っ直ぐに見ることは、前記ユーザが前記デバイスを前記目標再配向に回転させることを必要とするようにスクリーン上で配向される前記グラフィック
の少なくとも一方を含む、請求項５に記載のデバイス。
【請求項７】
前記表示は、前記目標再配向を達成するために何れの方向に前記デバイスを回転させるべきかを示す矢印を前記ディスプレイ上に含む、請求項５又は６に記載のデバイス。
【請求項８】
前記表示は、前記目標再配向に対する前記デバイスの前記配向角度に基づいて、前記ディスプレイ上で色及び／又は強度を変化させることを含む、請求項５、６又は７に記載のデバイス。
【請求項９】
緑である前記色は、前記デバイスが前記目標再配向に近づく方向に回転されていることを示し、赤である前記色は、前記デバイスが前記目標再配向から離れる方向に回転されていることを示す、請求項８に記載のデバイス。
【請求項１０】
前記表示は、前記目標再配向に対する前記デバイスの前記配向角度を測定するメトリックを表示することを含む、請求項１乃至９の何れか一項に記載のデバイス。
【請求項１１】
前記メトリックは、前記光源からの前記デバイスの現在の距離において、前記フットプリントによってカバー可能な最大数のラインに対する、前記フットプリントによってカバーされる前記撮像素子の現在のライン数を表す、請求項１０に記載のデバイス。
【請求項１２】
前記処理モジュールは、前記撮像素子の前記ラインに対する、取得される前記画像における外観として前記光源の配向を検出することによる当該検出を行う画像処理モジュールを含む、請求項１乃至１１の何れか一項に記載のデバイス。
【請求項１３】
前記処理モジュールは、配向センサを用いて測定される前記デバイスの絶対的配向、ポジショニングシステムを用いて測定される前記デバイスの位置、及び前記位置と前記光源の絶対的配向の所定の知識との間のマッピングに基づいて前記検出を行い、前記処理モジュールは、従って、前記光源の絶対的配向と比較した前記デバイスの絶対的配向から相対的配向を決定する、請求項１乃至１２の何れか一項に記載のデバイス。
【請求項１４】
デバイスのカメラを用いて、光源からの光を含むシーンの画像を取得するステップであって、前記光源からの光は符号化光成分で変調され、前記カメラは複数のラインに分割された撮像素子を含み、これによって、前記画像を取得するために、前記ラインが異なる時点で順に露光され、前記撮像素子は平面を画定する、ステップと、
前記撮像素子の前記ラインに対する、前記撮像素子の前記平面上に投影された前記光源の配向を検出するステップと、
前記検出に基づいて、前記光源からの前記光のフットプリントが、前記画像において増大された数の前記ラインをカバーする前記デバイスの目標再配向を決定するステップと、
前記デバイスのユーザインタフェースを介してユーザに前記目標再配向の表示を出力するステップと
を含む、方法。
【請求項１５】
少なくとも１つのコンピュータ可読記憶媒体上で具現化されるコードであって、前記記憶媒体から取り出され、及び／又は通信ネットワークを介してダウンロードされ、並びに、
前記デバイスのカメラを用いて、光源からの光を含むシーンの画像を取得する動作であって、前記光源からの光は符号化光成分で変調され、前記カメラは複数のラインに分割された撮像素子を含み、これによって、前記画像を取得するために、前記ラインが異なる時点で順に露光され、前記撮像素子は、平面を画定する、動作と、
前記撮像素子の前記ラインに対する、前記撮像素子の前記平面上に投影された前記光源の配向を検出する動作と、
前記検出に基づいて、前記光源からの光のフットプリントが、前記画像において増大された数の前記ラインをカバーする前記デバイスの目標再配向を決定する動作と、
前記デバイスのユーザインタフェースを介してユーザに前記目標再配向の表示を出力する動作と
を実施するようにデバイス上で実行される当該コードを含む、コンピュータプログラム。